(57)【要約】【課題】光ファイバ心線変換用モジュールの厚さを薄くする。【解決手段】トレイ１０と、このトレイ内空間を上下に仕切る仕切り板１２とを有する。トレイ１０はテープ心線の接続部１８を所定の位置に保持する接続部保持枠２４を有している。仕切り板１２は、トレイの接続部保持枠２４に相当する位置に切欠き部４２を有していて、トレイの底板部２０からの高さが接続部保持枠２４の高さの中間に位置するようにトレイ１０内に支持されている。仕切り板１２の下の空間に、多心−単心分離心線１４の単心光ファイバ心線１４Ｂを収納し、仕切り板１２の上の空間に、多心−単心分離心線１４のテープ心線１４Ａと外部から導入されるテープ心線１６を収納し、トレイ１０の接続部保持枠２４にテープ心線の接続部１８を収納する。【選択図】　　　図１
2004062019.tif 000002
【特許請求の範囲】
【請求項１】
一端側が多心光ファイバ心線で他端側がその多心光ファイバ心線から分離された単心光ファイバ心線となっている多心−単心分離心線を収納するトレイと、このトレイ内の空間を上下に仕切る仕切り板とを有し、
前記トレイは、外部から導入される多心光ファイバ心線と前記多心−単心分離心線の多心光ファイバ心線との接続部を所定の位置に保持する接続部保持枠を有しており、
前記仕切り板は、トレイの接続部保持枠に相当する位置に切欠き部を有していて、トレイの底板部からの高さが接続部保持枠の高さの中間に位置するようにトレイ内に支持されており、
仕切り板の下の空間に、前記多心−単心分離心線の単心光ファイバ心線側の、トレイ外へ導出される部分より手前の部分を収納し、仕切り板の上の空間に、前記多心−単心分離心線の多心光ファイバ心線側と外部から導入される多心光ファイバ心線とを収納し、前記トレイの接続部保持枠に多心光ファイバ心線の接続部を収納することを特徴とする光ファイバ心線変換用モジュール。
【請求項２】
請求項１記載の光ファイバ心線変換用モジュールであって、多心−単心分離心線の単心光ファイバ心線側の、トレイ外に導出される部分は、保護部材に挿入されて光コードの形態になっていることを特徴とする光ファイバ心線変換用モジュール。
【発明の詳細な説明】
【０００１】
【発明の属する技術分野】本発明は、多心光ファイバ心線（通常はテープ心線）から単心光ファイバ心線に変換する箇所に用いられる光ファイバ心線変換用モジュールに関するものである。
【０００２】
【従来の技術】従来の光ファイバ心線変換用モジュールは、トレイが２層に積層されていて、上側トレイに、一端側がテープ心線（多心光ファイバ心線）で他端側が単心光ファイバ心線となっている多心−単心分離心線のテープ心線側と、外部から導入されるテープ心線と、テープ心線同士の接続部とを収納し、下側トレイに、前記多心−単心分離心線の心線分離部と、分離された単心光ファイバ心線と、これらの単心光ファイバ心線の先端に取り付けられた単心コネクタとを収納するようになっている（特開平１０−１１５７１６号公報参照）。
【０００３】
【発明が解決しようとする課題】しかし従来の光ファイバ心線変換用モジュールは次のような問題点がある。すなわち、上側トレイはテープ心線の接続部を収納できるだけの厚さ（深さ）が必要であり、下側トレイは単心コネクタを収納できるだけの厚さが必要である。このためワンセットの光ファイバ心線変換用モジュールとしての厚さは、上側トレイと下側トレイを合わせたものとなり、厚さを薄くすることが困難であった。
【０００４】本発明の目的は、厚さの薄い光ファイバ心線変換用モジュールを提供することにある。
【０００５】本発明に係る光ファイバ心線変換用モジュールは、一端側が多心光ファイバ心線（通常はテープ心線の形態）で他端側がその多心光ファイバ心線から分離された単心光ファイバ心線となっている多心−単心分離心線を収納するトレイと、このトレイ内の空間を上下に仕切る仕切り板とを有し、
前記トレイは、外部から導入される多心光ファイバ心線と前記多心−単心分離心線の多心光ファイバ心線との接続部を所定の位置に保持する接続部保持枠を有しており、
前記仕切り板は、トレイの接続部保持枠に相当する位置に切欠き部を有していて、トレイの底板部からの高さが接続部保持枠の高さの中間に位置するようにトレイ内に支持されており、
仕切り板の下の空間に、前記多心−単心分離心線の単心光ファイバ心線側の、トレイ外へ導出される部分より手前の部分を収納し、仕切り板の上の空間に、前記多心−単心分離心線の多心光ファイバ心線側と外部から導入される多心光ファイバ心線とを収納し、前記トレイの接続部保持枠に多心光ファイバ心線の接続部を収納することを特徴とするものである。
【０００６】
【発明の実施の形態】以下、本発明の実施の形態を、図面を参照して詳細に説明する。
【０００７】図１ないし図１０は本発明の一実施形態を示す。図１において、１０はプラスチック製のトレイ、１２はトレイ１０内の空間を上下に仕切る仕切り板、１４は一端側が多心光ファイバ心線例えば４心のテープ心線１４Ａで他端側が４本の単心光ファイバ心線１４Ｂに分離された多心−単心分離心線、１６は外部からトレイ１０内に導入されたテープ心線（多心光ファイバ心線）、１８はそのテープ心線１６と前記多心−単心分離心線１４のテープ心線１４Ａ側との接続部である。
【０００８】仕切り板１２を組み込む前のトレイ１０を図２（Ａ）に示す。２０は底板部、２２は周壁部、２４は底板部２０から立ち上がる接続部保持枠、２６は心線導入導出部、２８は仕切り板を下から支える支持片、３０は仕切り板を上から押さえる押さえ片、３２は底板部２０から立ち上がる心線ガイド枠、３４は周壁部２２及び心線ガイド枠３２の上端縁からトレイ１０内に張り出すように形成された心線の飛び出し防止片、３６はトレイ１０を図１（Ｂ）、（Ｃ）のように積層したときに上下に隣り合うトレイ１０を開閉自在に連結するヒンジ部、３８はトレイ１０が自由に開かないようにするロック部である。心線導入導出部２６にはピン４０が所定の間隔で２列に立設されている。
【０００９】図２（Ｂ）は仕切り板１２の形状を示す。仕切り板１２は、トレイ１０の周壁部２２の内側に嵌め込まれる外形を有しており、トレイ１０の接続部保持枠２４及び飛び出し防止片３４に相当する位置にそれぞれ切欠き部４２と４４を形成し、心線ガイド枠３２に相当する位置に穴４６を形成したものである。仕切り板１２は、図３に示すように、周壁部２２の内側に突設された支持片２８と押さえ片３０の間に周辺部を差し込まれて、トレイ１０内の空間を上下に仕切るように配置される。なお接続部保持枠２４の高さは周壁部２２の高さとほぼ同じであるので、仕切り板１２は接続部保持枠２４の高さの中間に位置することになる（図６参照）。より具体的には、接続部保持枠２４の高さは、心線接続部１８の高さ（太さ）よりも若干高くなっている。また仕切り板１２の高さは、接続部保持枠２４に心線接続部１８を保持した状態で、心線接続部１８の高さ（太さ）よりも低い位置になるように、支持片２８と押さえ片３０によって設定されている。
【００１０】この光ファイバ心線変換用モジュールは、工場で図４の状態まで組み立てられて出荷される。すなわち、多心−単心分離心線１４の単心光ファイバ心線１４Ｂ側を仕切り板１２の下の空間に破線のように収納し、テープ心線１４Ａ側を仕切り板１２の上の空間に収納した状態である。テープ心線１４Ａから単心光ファイバ心線１４Ｂへの分離部は、図５に示すように、ゴムやスポンジなどのブロックにスリットを入れた弾性部品４８で挟み付け、その弾性部品４８を接続部保持枠２４内に押し込むことで、トレイ１０に保持される。
【００１１】また単心光ファイバ心線１４Ｂの先端側は図４に示すように光コード５０の形態で外部に導出される。光コード５０の先端にはコネクタ（図示せず）を取り付けて相手方の光コードと簡単に接続できるようにしてある。なお光コード５０の先端は別に設けられたスプライストレイ内で相手方と融着接続する場合もある。図４では仕切り板１２の下の単心光ファイバ心線１４Ｂを１本だけ示したが、他の単心光ファイバ心線も同様に処理される。
【００１２】光ファイバ心線変換用モジュールを工場で図４のように組み立てておくと、工事現場では、多心−単心分離心線１４のテープ心線１４Ａと外部から導入されるテープ心線１６（図１参照）とを接続して、その接続部１８を図１及び図６のように接続部保持枠２４内に収納し、光コード５０の先端を相手方の光コードにコネクタ接続するだけで、光ファイバ心線変換部を構成することができる。つまり仕切り板１２を外すことなく作業を行えるので、工事時間を短縮することができる。
【００１３】特にこの光ファイバ心線変換用モジュールは、トレイ１０内を仕切り板１２で上下に仕切り、最も太い部分であるテープ心線接続部１８を収納する領域（接続部保持枠２４を形成した領域）には、仕切り板１２に切欠き部４２を設けて、太い接続部１８を仕切り板１２の上下に跨って収納できるようにしたので、トレイ１０の厚さを従来より大幅に薄くできる。
【００１４】なお、仕切り板１２の切欠き部４２の大きさは、図６のようにテープ心線接続部１８を接続部保持枠２４内に収納したときにその両側のテープ心線１４Ａ、１６に有害な急峻曲げが発生しないように設定される。具体的には、切欠き部４２は接続部保持枠２４よりも心線長手方向に離して大きめに切り欠いてある。また急峻曲げの発生を防ぐためには、仕切り板１２として薄いプラスチックシート状のものを用いるとよい。薄いプラスチックシートはしなやかで弾性があるため、切欠き部４２の縁に心線が接触すると心線の剛性によって曲がりやすく、心線に急峻曲げが発生しにくい。
【００１５】ところで、単心光ファイバ心線１４Ｂを光コード５０の形態でトレイ外に導出する部分では、光コード５０をトレイ１０に引き留めておく必要があるが、この引留構造は次のような構成にするとよい。
【００１６】図７は図１及び図４に示した光コード５０の導出部を拡大して示す平面図であり、図８はその導出部をさらに拡大した断面図である。光コード５０は、中心から順に光ファイバ心線１４Ｂ、内部チューブ５２、抗張力繊維層５４、外装被覆５６を有している。具体的には、内部チューブ５２、抗張力繊維層５４、外装被覆５６で構成される保護部材の、内部チューブ５２内に光ファイバ心線１４Ｂの先端側を挿入することにより光コード５０が構成されている。
【００１７】光コード５０のトレイ１０に引き留める部分は、図９に示すように、外装被覆５６、抗張力繊維層５４、内部チューブ５２の順に段剥ぎされている。段剥ぎされた部分には図１０に示すように、外装被覆５６から内部チューブ５２までに跨る幅の両面粘着テープ５８を巻き付け、この両面粘着テープ５８を図７及び図８に示すように２列のピン４０の間でトレイ１０の底板部２０に貼り付け、さらに両面粘着テープ５８の上に金属又はプラスチック製の保護カバー６０を貼り付ける。このような構造で、光コード５０をトレイ１０に引き留めることが可能である。
【００１８】この引留構造は、クランプ等による引留構造に比べ、厚さを薄くできるので、トレイ１０の厚さを厚くしないで済む。
【００１９】
【発明の効果】以上説明したように本発明によれば、トレイ内空間を仕切り板で上下に仕切って、仕切り板の上側に多心光ファイバ心線を、下側に単心光ファイバ心線を収納し、最も外径が大きくなる多心光ファイバ心線の接続部は、仕切り板に切欠き部を設けて、仕切り板の上下に跨って収納できるようにしたため、トレイの厚さを薄くでき、光ファイバ心線変換用モジュールの積層密度を高めることができる。
【図面の簡単な説明】
【図１】本発明に係る光ファイバ心線変換用モジュールの一実施形態を示す、（Ａ）は平面図、（Ｂ）は積層状態での背面図、（Ｃ）は同側面図。
【図２】（Ａ）は図１のモジュールに用いるトレイの平面図、（Ｂ）は同じく仕切り板の平面図。
【図３】トレイによる仕切り板の支持構造を示す断面図。
【図４】図１のモジュールの工場出荷状態を示す平面図。
【図５】（Ａ）は図１のモジュールにおける心線分離部の保持構造を示す縦断面図、（Ｂ）は（Ａ）のＢ−Ｂ線断面図。
【図６】（Ａ）は図１のモジュールにおけるテープ心線接続部の保持構造を示す縦断面図、（Ｂ）は（Ａ）のＢ−Ｂ線断面図。
【図７】図１のモジュールにおける光コードの引留構造を示す平面図。
【図８】同じく断面図。
【図９】光コードの引留部の段剥ぎ状態を示す斜視図。
【図１０】光コードの段剥ぎ部に両面粘着テープを巻いて保護カバーを被せる状態を示す斜視図。
【符号の説明】
１０：トレイ
１２：仕切り板
１４：多心−単心分離心線
１４Ａ：テープ心線（多心光ファイバ心線）
１４Ｂ：単心光ファイバ心線
１６：外部から導入されたテープ心線（多心光ファイバ心線）
１８：テープ心線の接続部
２０：底板部
２２：周壁部
２８：支持片
３０：押さえ片
４０：ピン
４２：切欠き部
４８：弾性部品
５０：光コード
５８：両面粘着テープ
【図１】
2004062019.tif 000003
【図２】
2004062019.tif 000004
【図３】
2004062019.tif 000005
【図４】
2004062019.tif 000006
【図５】
2004062019.tif 000007
【図６】
2004062019.tif 000008
【図７】
2004062019.tif 000009
【図８】
2004062019.tif 000010
【図９】
2004062019.tif 000011
【図１０】
2004062019.tif 000012